(57)【要約】【課題】被験者に苦痛を与えない比較的楽な姿勢で心電波形を精度よく確実に採取することが可能な携帯型心電計を提供する。【解決手段】携帯型心電計１００Ｄは、扁平かつ細長の略直方体形状の筐体１０１と、筐体１０１の長手方向（矢印Ａ方向）の一方端に位置する右側面１０６を含むグリップ部に設けられた負電極１１０と、筐体１０１の長手方向の他方端に位置する左側面に設けられた負電極とを備えている。計測時においては、筐体１０１の右側面１０６を掌で覆うようにグリップ部を右手で把持しつつ、把持した右手以外の肢体または胴に向けて筐体１０１の左側面に設けられた正電極を押圧して測定する。【選択図】        図１８
2005040187.tif 000002
【特許請求の範囲】
【請求項１】
略直方体形状の筐体の外表面に設けられた第１の電極を把持しつつ、把持した手以外の肢体または胴に向けて前記筐体の外表面に設けられた第２の電極を押圧して心電波形を計測する携帯型心電計であって、
前記第１の電極は、前記筐体の長手方向の一方端に位置する第１端面を含む把持領域に設けられており、
前記第２の電極は、前記筐体の長手方向の他方端に位置する第２端面に設けられている、携帯型心電計。
【請求項２】
略直方体形状の筐体と、
前記筐体の長手方向の一方端に位置する第１端面を含む把持領域に設けられた第１の電極と、
前記筐体の長手方向の他方端に位置する第２端面に設けられた第２の電極と、を備え、
前記第１端面を覆うように前記把持領域を右手で把持しつつ、把持した右手以外の肢体または胴に向けて前記第２端面を押圧して心電波形を計測する、携帯型心電計。
【請求項３】
前記筐体を正面側から見て、前記第２端面に設けられた前記第２の電極の身体との接触面が、上端部分から下端部分に向かうにつれて、前記筐体の長手方向と直交しかつ前記接触面よりも前記第１端面側に位置する任意の平面に対して距離が減ずる方向に傾斜して設けられている、請求項１または２に記載の携帯型心電計。
【請求項４】
前記接触面は、略平面形状である、請求項３に記載の携帯型心電計。
【請求項５】
前記第１の電極は、前記筐体の外表面のうち前記第１端面に設けられている、請求項１から４のいずれかに記載の携帯型心電計。
【請求項６】
前記第１の電極は、前記筐体の外表面のうち正面の前記一方端寄りに設けられている、請求項１から４のいずれかに記載の携帯型心電計。
【請求項７】
前記第１の電極は、前記正面に設けられた凹部内に位置している、請求項６に記載の携帯型心電計。
【請求項８】
前記凹部は、前記正面において、前記筐体の長手方向と交差する方向に延びている、請求項７に記載の携帯型心電計。
【請求項９】
前記凹部は、右手の親指を受入れる形状である、請求項８に記載の携帯型心電計。
【請求項１０】
前記第１の電極は、前記筐体の外表面のうち上面の前記一方端寄りに設けられている、請求項１から４のいずれかに記載の携帯型心電計。
【請求項１１】
前記第１の電極は、前記上面に設けられた凹部内に位置している、請求項１０に記載の携帯型心電計。
【請求項１２】
前記凹部は、前記上面の延伸方向に沿って延びている、請求項１１に記載の携帯型心電計。
【請求項１３】
前記凹部は、右手の人差し指を受入れる形状である、請求項１２に記載の携帯型心電計。
【請求項１４】
前記筐体は、上面と前記第１端面とに連続する湾曲面を有しており、
前記第１の電極は、前記外表面のうち前記湾曲面に設けられている、請求項１から４のいずれかに記載の携帯型心電計。
【請求項１５】
前記第１の電極は、前記湾曲面に設けられた凹部内に位置している、請求項１４に記載の携帯型心電計。
【請求項１６】
前記凹部は、前記湾曲面の延伸方向に沿って延びている、請求項１５に記載の携帯型心電計。
【請求項１７】
前記凹部は、右手の人差し指を受入れる形状である、請求項１６に記載の携帯型心電計。
【請求項１８】
前記長手方向と直交する方向における前記筐体の前記把持領域の外形が、前記長手方向と直交する方向における前記筐体の前記把持領域以外の部分の外形に比べて大きい、請求項１から１７のいずれかに記載の携帯型心電計。
【請求項１９】
前記把持領域が設けられた前記筐体の長手方向の一方端が、前記筐体の下面側に向かって湾曲している、請求項１から１８のいずれかに記載の携帯型心電計。
【請求項２０】
前記第１の電極は、前記筐体の長手方向において、前記第２端面から６ｃｍ以上１２ｃｍ以下離間して設けられている、請求項１から１９のいずれかに記載の携帯型心電計。
【請求項２１】
測定結果を表示する表示部を前記筐体の長手方向の他方端寄りの正面に備え、前記筐体の長手方向において、前記把持領域が前記表示部よりも前記筐体の一方端寄りに位置している、請求項１から２０のいずれかに記載の携帯型心電計。
【請求項２２】
略直方体形状の筐体の外表面に設けられた第１の電極を把持しつつ、把持した手以外の肢体または胴に向けて前記筐体の外表面に設けられた第２の電極を押圧して心電波形を計測する携帯型心電計であって、
前記第１の電極は、前記筐体の長手方向の一方端寄りに位置する把持領域に設けられており、
前記第２の電極は、前記筐体の長手方向に位置する第２端面に設けられており、
前記第２の電極と前記把持領域との間には、前記筐体から外側に向けて突出して形成された鍔部を有している、携帯型心電計。
【請求項２３】
略直方体形状の筐体と、
前記筐体の長手方向の一方端寄りに位置する把持領域に設けられた第１の電極と、
前記筐体の長手方向の他方端に位置する第２端面に設けられた第２の電極と、
前記第２の電極と前記把持領域との間に位置し、前記筐体から外側に向けて突出して形成された鍔部とを備え、
前記把持領域を右手で把持しつつ、把持した右手以外の肢体または胴に向けて前記第２端面を押圧して心電波形を計測する、携帯型心電計。
【請求項２４】
略直方体形状の筐体の外表面に設けられた第１の電極を把持しつつ、把持した手以外の肢体または胴に向けて前記筐体の外表面に設けられた第２の電極を押圧して心電波形を計測する携帯型心電計であって、
前記第１の電極は、前記筐体の長手方向の一方端寄りに位置する把持領域に設けられており、
前記第２の電極は、前記筐体の長手方向に位置する第２端面に設けられており、
前記長手方向と直交する方向における前記筐体の把持領域の外形が、前記長手方向と直交する方向における前記筐体の把持領域以外の部分の外形に比べて小さい、携帯型心電計。
【請求項２５】
略直方体形状の筐体と、
前記筐体の長手方向の一方端寄りに位置する把持領域に設けられた第１の電極と、
前記筐体の長手方向の他方端に位置する第２端面に設けられた第２の電極とを備え、
前記長手方向と直交する方向における前記筐体の把持領域の外形が、前記長手方向と直交する方向における前記筐体の把持領域以外の部分の外形に比べて小さく、
前記把持領域を右手で把持しつつ、把持した右手以外の肢体または胴に向けて前記第２端面を押圧して心電波形を計測する、携帯型心電計。
【請求項２６】
略直方体形状の筐体の長手方向の一方端寄りに位置する把持領域に設けられた第１の電極を把持しつつ、把持した手以外の肢体または胴に向けて前記筐体の長手方向の他方端に位置する第２端面に設けられた第２の電極を押圧して心電波形を計測する携帯型心電計であって、
計測時において、前記把持領域を把持した手と前記第２端面が押圧された身体の部位とが非接触となるように構成されている、携帯型心電計。
【請求項２７】
前記把持領域は、前記筐体を右手で把持し易い形状に構成されている、請求項２６に記載の携帯型心電計。
【発明の詳細な説明】
【０００１】
【発明の属する技術分野】
本発明は、持ち運びが可能で心電波形を容易に計測・記憶することができる携帯型心電計に関する。
【０００２】
【従来の技術】
一般に、狭心症や心筋梗塞等の心筋症の診断には、患者の心電図が利用される。心電波形を計測する心電計としては、据置き型の心電計と携帯型の心電計とが知られている。
【０００３】
据置き型の心電計は、病院等の医療機関に設置されている心電計であり、患者をベッド等に寝かせた状態で身体に電極を装着し、心電波形を計測するものである。この据置き型心電計を用いて心電波形を計測した場合には、各種の心電波形（たとえば、Ｐ波やＱＲＳ波など）を精密に計測できる点で有利であるが、計測時に異常波形が再現されるとは限らず、適切な診断を行なうことが困難になる場合がある。
【０００４】
これに対し、携帯型の心電計は、患者の身体に電極を装着した状態で１日〜数日にわたって日常生活を行ないながら連続的に心電波形を計測・記憶するホルター式心電計と、動悸、息切れ等の測定すべき自覚症状が発生したときに心電波形を計測・記憶するイベント式心電計とに大別される。
【０００５】
ホルター式の携帯型心電計では、異常波形を確実に計測することが可能になる反面、電極を装着した状態で１日〜数日にわたって維持する必要があるため、患者に不快感や苦痛を与える問題がある。
【０００６】
イベント式の携帯型心電計には、さらに心電波形を計測するための電極を常時身体の所定部位に接触させておく方式のものと、測定すべき自覚症状が発生した場合に被験者自らが電極を身体に接触させる方式のものとがある。
【０００７】
前者のイベント式携帯型心電計にあっては、ホルター式の携帯型心電計と同様に、常時電極を身体に装着した状態を維持する必要があるため、被験者に不快感や苦痛を強いることになる。これに対し、後者のイベント式携帯型心電計にあっては、必要なときにはじめて電極を身体に接触させればよく、被験者にとっては非常に使い勝手のよい携帯型心電計である。
【０００８】
この後者のイベント式携帯型心電計として、本体の外表面に電極を設けた構成のものが種々提案されている。
【０００９】
たとえば、特開昭６１−４１４３８号公報（特許文献１）には、図３８に示すように、心電図モニタのハウジング１０１の正面１０２側に表示部１５０を具備し、背面１０３側に身体に接触させる３つの電極１１０，１２０，１３０を具備した構成の携帯型心電計１００Ｈが開示されている。そして計測時においては、これら３つの電極１１０，１２０，１３０を被験者の胸部に接触させて心電波形を計測する旨が記載されている。
【００１０】
また、実開平３−９１３０４号公報（特許文献２）には、図３９（ａ）および（ｂ）に示すように、筐体１０１の正面１０２に電極１１０を設け、筐体１０１の上部から筐体１０１の背面１０３側に向かって延びる支持部材１９１を筐体１０１の上面１０４にヒンジ１９２を用いて取り付け、支持部材１９１の表面に電極１２０を設けた構成の携帯型心電計１００Ｉが開示されている。そして計測時においては、支持部材１９１を回動させて開状態（図３９（ｃ）参照）とし、支持部材１９１の電極形成面と筐体１０１の正面１０２とを略同一平面上に位置させ、２つの電極１１０，１２０を被験者の胸部に接触させて心電波形を計測する旨が記載されている。
【００１１】
また、実開平３−９１３０５号公報（特許文献３）には、図４０（ａ）および（ｂ）に示すように、筐体１０１の正面１０２に導電性ゴムからなる電極１１０を設け、筐体１０１の右側面１０６および左側面１０７にそれぞれ電極１２０および１３０を設けた構成の携帯型心電計１００Ｊが開示されている。そして計測時においては、これら両側面１０６，１０７に設けられた電極１２０，１３０に接触するように、筐体の背面１０３側から筐体１０１を把持し、正面１０２に設けられた電極１１０を被験者の胸部に接触させて心電波形を計測する旨が記載されている。
【００１２】
さらに、特開２００３−１４４４０３号公報（特許文献４）には、図４１に示すように、略直方体形状の筐体１０１の相対する面である上面１０４および下面１０５に負電極１１０および中性電極１３０を設け、これら負電極１１０および中性電極１３０が設けられた面に相隣接する湾曲面である左側面１０７に正電極１２０を設けた構成の携帯型心電計１００Ｋが開示されている。なお、筐体１０１の正面１０２には、計測結果を表示する表示部１５０と、電源を投入するための電源ボタン１４１に代表される各種操作ボタンが配置された操作ボタン部１４０とが設けられている。
【００１３】
そして計測時においては、被験者自らが筐体１０１の背面側から上面１０４および下面１０５に設けられた負電極１１０および中性電極１３０を右手で把持し、筐体１０１の左側面１０７に設けられた電極を胸部に接触させて心電波形を計測する旨が記載されている。
【００１４】
【特許文献１】
特開昭６１−４１４３８号公報
【００１５】
【特許文献２】
実開平３−９１３０４号公報
【００１６】
【特許文献３】
実開平３−９１３０５号公報
【００１７】
【特許文献４】
特開２００３−１４４４０３号公報
【００１８】
【発明が解決しようとする課題】
しかしながら、上記特許文献１または２に開示の携帯型心電計にあっては、筐体の同一面側に複数の電極のすべてが設けられているため、これらの電極を身体の胸部に接触させた場合に形成される測定回路（正電極から負電極に至るまでの身体に形成される電気回路）が心臓を横切ることなく、胸部の皮膚表面または直下を通過することになり、心電波形を精度よく計測することが困難になる。
【００１９】
また、特許文献３または４に開示の携帯型心電計にあっては、計測時において筐体を把持する手が胸部と接触するおそれがあり、接触が生じた場合にはこの接触部分において測定回路が短絡し、結果として心臓を横切ることのない測定回路が形成されてしまうことになる。このため、精度よく安定的に心電波形を計測することができなくなってしまう。この問題点について、上記特許文献４に開示の携帯型心電計１００Ｋを例にとり、より詳細に説明する。
【００２０】
図４２は、上記特許文献４に開示の携帯型心電計１００Ｋを用いて心電波形を計測する際に被験者がとるべき計測姿勢を示した図である。図４２に示すように、計測時において被験者２００は、右手２１０で携帯型心電計１００Ｋを把持しつつ、前腕２２０の手首近傍を右脇腹部分に押し当てるとともに、携帯型心電計１００Ｋの筐体１０１の左側面１０７に設けられた正電極１２０を胸部２５０の左側下部の皮膚に直接接触させる。そしてこの状態を数十秒程度維持しつつ、心電波形を計測する。
【００２１】
このときの携帯型心電計１００Ｋの右手２１０による把持の様子を図４３に示す。図４３に示すように、計測姿勢において被験者２００は、携帯型心電計１００Ｋの正面１０２が上方を向くように筐体１０１の背面側を掌で覆いつつ筐体１０１を把持する。このとき、筐体１０１の上面１０４に設けられた負電極１１０に右手２１０の人差し指２１２、中指２１３、薬指２１４および小指２１５のいずれかまたは全部が接触するように、これらの指を軽く曲げて筐体１０１を把持する。また、親指２１１は、筐体１０１の下面１０５に沿って伸ばし、下面１０５に設けられた中性電極１３０に接触させて筐体１０１を把持する。そして、右手２１０の手首近傍を右脇腹に押し当て、筐体１０１の左側面１０７に形成された正電極１２０が身体から外れないように右手２１０を固定する。
【００２２】
以上のような計測姿勢をとりつつ心電波形を計測する場合にあっては、右手の手首が衣服で覆われている場合には、右手と右脇腹とが直接接触することがなくなる。このため、この部分における測定回路の短絡が防止され、精度よく心電波形を計測することが可能になる。ところが、被験者が衣服を装着していない場合や半袖の衣服など手首が覆われない衣服を装着している場合には、右手と右脇腹とが直接接触することになり、この部分において測定回路が短絡する。このため、測定回路が心臓を横切らなくなり、精度よく心電波形を計測することができなくなる。このような状態では心筋症の早期発見が困難となり、心電波形を計測する目的自体が没却してしまうおそれもある。
【００２３】
したがって、本発明はこのような問題点に着目してなされたものであり、被験者に苦痛を与えない比較的楽な姿勢で心電波形を精度よく確実に計測することが可能な携帯型心電計を提供することを目的とする。
【００２４】
【課題を解決するための手段】
本発明の第１の局面に基づく携帯型心電計は、略直方体形状の筐体の外表面に設けられた第１の電極を把持しつつ、把持した手以外の肢体または胴に向けて筐体の外表面に設けられた第２の電極を押圧して心電波形を計測するものである。第１の電極は、筐体の長手方向の一方端に位置する第１端面を含む把持領域に設けられており、第２の電極は、筐体の長手方向の他方端に位置する第２端面に設けられている。
【００２５】
本発明の第２の局面に基づく携帯型心電計は、略直方体形状の筐体と、筐体の長手方向の一方端に位置する第１端面を含む把持領域に設けられた第１の電極と、筐体の長手方向の他方端に位置する第２端面に設けられた第２の電極とを備えており、上記第１端面を覆うように把持領域を右手で把持しつつ、把持した右手以外の肢体または胴に向けて上記第２端面を押圧して心電波形を計測するように構成されている。
【００２６】
上記本発明の第１または第２の局面に基づく携帯型心電計にあっては、筐体を正面側から見て、第２端面に設けられた第２の電極の身体との接触面が、上端部分から下端部分に向かうにつれて、筐体の長手方向と直交しかつ接触面よりも第１端面側に位置する任意の平面に対して距離が減ずる方向に傾斜して設けられていることが好ましい。また、この場合、第２電極の身体との接触面が略平面形状であることが好ましい。
【００２７】
上記本発明の第１または第２の局面に基づく携帯型心電計にあっては、第１の電極が筐体の外表面のうち第１端面に設けられていることが好ましい。
【００２８】
上記本発明の第１または第２の局面に基づく携帯型心電計にあっては、第１の電極が筐体の外表面のうち正面の一方端寄りに設けられていることが好ましい。また、第１の電極が筐体の正面に設けられた凹部内に位置していることが好ましい。さらには、上記凹部が筐体の正面において長手方向と交差する方向に延びており、右手の親指を受入れる形状であることが好ましい。
【００２９】
上記本発明の第１または第２の局面に基づく携帯型心電計にあっては、第１の電極が筐体の外表面のうち上面の一方端寄りに設けられていることが好ましい。また、第１の電極が筐体の上面に設けられた凹部内に位置していることが好ましい。さらには、上記凹部が上面の延伸方向に沿って延びており、右手の人差し指を受入れる形状であることが好ましい。
【００３０】
上記本発明の第１または第２の局面に基づく携帯型心電計にあっては、筐体が上面と第１端面とに連続する湾曲面を有しており、第１の電極が筐体の外表面のうちの上記湾曲面に設けられていることが好ましい。また、第１の電極が筐体の湾曲面に設けられた凹部内に位置していることが好ましい。さらには、上記凹部が湾曲面の延伸方向に沿って延びており、右手の人差し指を受入れる形状であることが好ましい。
【００３１】
上記本発明の第１または第２の局面に基づく携帯型心電計にあっては、筐体の長手方向と直交する方向における筐体の把持領域の外形が、筐体の長手方向と直交する方向における筐体の把持領域以外の部分の外形に比べて大きいことが好ましい。
【００３２】
上記本発明の第１または第２の局面に基づく携帯型心電計にあっては、把持領域が設けられた筐体の長手方向の一方端が筐体の下面側に向かって湾曲していることが好ましい。
【００３３】
上記本発明の第１または第２の局面に基づく携帯型心電計にあっては、第１の電極が、筐体の長手方向において、第２端面から６ｃｍ以上１２ｃｍ以下離間して設けられていることが好ましい。
【００３４】
上記本発明の第１または第２の局面に基づく携帯型心電計にあっては、測定結果を表示する表示部を筐体の長手方向の他方端寄りの正面にさらに備え、筐体の長手方向において、把持領域がこの表示部よりも筐体の一方端寄りに位置していることが好ましい。
【００３５】
本発明の第３の局面に基づく携帯型心電計は、略直方体形状の筐体の外表面に設けられた第１の電極を把持しつつ、把持した手以外の肢体または胴に向けて筐体の外表面に設けられた第２の電極を押圧して心電波形を計測するものである。第１の電極は、筐体の長手方向の一方端寄りに位置する把持領域に設けられており、第２の電極は、筐体の長手方向に位置する第２端面に設けられている。第２の電極と把持領域との間には、筐体から外側に向けて突出して形成された鍔部が設けられている。
【００３６】
本発明の第４の局面に基づく携帯型心電計は、略直方体形状の筐体と、筐体の長手方向の一方端寄りに位置する把持領域に設けられた第１の電極と、筐体の長手方向の他方端に位置する第２端面に設けられた第２の電極と、第２の電極と把持領域との間に位置し、筐体から外側に向けて突出して形成された鍔部とを備えており、把持領域を右手で把持しつつ、把持した右手以外の肢体または胴に向けて上記第２端面を押圧して心電波形を計測するように構成されている。
【００３７】
本発明の第５の局面に基づく携帯型心電計は、略直方体形状の筐体の外表面に設けられた第１の電極を把持しつつ、把持した手以外の肢体または胴に向けて筐体の外表面に設けられた第２の電極を押圧して心電波形を計測するものである。第１の電極は、筐体の長手方向の一方端寄りに位置する把持領域に設けられており、第２の電極は、筐体の長手方向に位置する第２端面に設けられている。そして、筐体の長手方向と直交する方向における筐体の把持領域の外形が、筐体の長手方向と直交する方向における筐体の把持領域以外の部分の外形に比べて小さくなるように構成されている。
【００３８】
本発明の第６の局面に基づく携帯型心電計は、略直方体形状の筐体と、筐体の長手方向の一方端寄りに位置する把持領域に設けられた第１の電極と、筐体の長手方向の他方端に位置する第２端面に設けられた第２の電極とを備え、筐体の長手方向と直交する方向における筐体の把持領域の外形が、筐体の長手方向と直交する方向における筐体の把持領域以外の部分の外形に比べて小さくなるように構成されている。そして、把持領域を右手で把持しつつ、把持した右手以外の肢体または胴に向けて第２端面を押圧して心電波形を計測するように構成されている。
【００３９】
本発明の第７の局面に基づく携帯型心電計は、略直方体形状の筐体の長手方向の一方端寄りに位置する把持領域に設けられた第１の電極を把持しつつ、把持した手以外の肢体または胴に向けて筐体の長手方向の他方端に位置する第２端面に設けられた第２の電極を押圧して心電波形を計測するものであって、計測時において、把持領域を把持した手と第２端面が押圧された身体の部位とが非接触となるように構成されている。また、把持領域は、筐体を右手で把持し易い形状に構成されていることが望ましい。
【００４０】
【発明の実施の形態】
以下、本発明の実施の形態について、図を参照して説明する。
【００４１】
（実施の形態１）
図１は、本発明の実施の形態１における携帯型心電計の外観構造を示す斜視図である。図２は、図１に示す携帯型心電計の正面図であり、図３は、上面図である。また、図４は、図１に示す携帯型心電計の左側面図であり、図５は、背面図である。
【００４２】
まず、本実施の形態における携帯型心電計１００Ａの構造について説明する。図１ないし図５に示すように、本実施の形態における携帯型心電計１００Ａは、取扱い性に優れたものとなるように軽量小型化されており、片手で保持することが可能である。携帯型心電計１００Ａは、扁平かつ細長の略直方体形状の筐体１０１を有しており、その外表面（正面１０２、背面１０３、上面１０４、下面１０５、右側面１０６および左側面１０７）に、表示部や操作部、電極等が配置されている。
【００４３】
図１および図２に示すように、筐体１０１の長手方向（図中矢印Ａ方向）の一方端寄りには、把持領域であるグリップ部１６０が設けられている。このグリップ部１６０は、被験者が計測時において携帯型心電計１００Ａの本体を安定的に把持できるように設けられた部位であり、計測時においては、被験者の右手によって覆われる部位である。ここで、グリップ部１６０は、筐体１０１の長手方向の一方端に位置する第１端面である右側面１０６と、正面１０２、背面１０３、上面１０４および下面１０５のそれぞれの一方端寄り部分を含んでいる。
【００４４】
筐体１０１の正面１０２側のグリップ部１６０には、第１の電極である負電極１１０が設けられている。負電極１１０は導電性部材にて形成されており、グリップ部１６０からさらに前方に向かって突出した形状を有している。負電極１１０の所定位置には、突起部１１１が設けられている。この突起部１１１は、被験者がグリップ部１６０を把持した状態において、負電極１１０と手（指）との接触が安定的に確保されるように設けられるものである。
【００４５】
筐体１０１の長手方向の他方端寄りの正面１０２には、表示部１５０が位置している。表示部１５０は、たとえば液晶ディスプレイ等によって構成され、測定結果を表示する部位である。測定結果は、たとえば、図１に示すように心電波形や数値データとして表示される。
【００４６】
筐体１０１の正面１０２のグリップ部１６０と表示部１５０との間には、各種の操作ボタンが配置されている。図示する携帯型心電計１００Ａにおいては、筐体１０１の正面１０２に、設定ボタン１４３、表示ボタン１４４、左スクロールボタン１４５および右スクロールボタン１４６が配置されている。
【００４７】
ここで、設定ボタン１４３は、携帯型心電計１００Ａの各種設定を行なうための操作ボタンであり、表示ボタン１４４は、測定結果を表示部１５０に表示させるために用いる操作ボタンである。そして左スクロールボタン１４５および右スクロールボタン１４６は、表示部１５０に表示される測定結果のグラフやガイド情報等をスクロールして表示させるための操作ボタンである。
【００４８】
図１および図３に示すように、筐体１０１の上面１０４の所定位置には、電源ボタン１４１および測定ボタン１４２が配置されている。電源ボタン１４１は、携帯型心電計１００ＡのＯＮ／ＯＦＦを操作する操作ボタンであり、測定ボタン１４２は、測定を開始させるための操作ボタンである。
【００４９】
図１および図４に示すように、筐体１０１の長手方向の他方端に位置する第２端面である左側面１０７には、第２の電極である正電極１２０が設けられている。この正電極１２０は導電性部材にて形成されており、筐体１０１の背面１０３から左側面１０７を経由して正面１０２にまで達している（図２〜図５参照）。正電極１２０の身体との接触面１２１は、携帯型心電計１００Ａの他方端に位置しており、筐体１０１の長手方向と交差するように設けられている。
【００５０】
図５に示すように、筐体１０１の背面１０３側のグリップ部１６０には、不関電極である中性電極１３０が位置している。この中性電極１３０は導電性部材にて形成されており、筐体１０１の裏面において上下方向に向かって延びている。中性電極１３０は、計測時において身体に生じる電位変動を検知する電極であり、測定結果に含まれる誤差成分を除去するための補正値を得るための電極である。
【００５１】
次に、上述の構成の携帯型心電計１００Ａを用いた場合に、被験者がとるべき計測姿勢について説明する。図６は、本実施の形態における携帯型心電計を用いて心電波形を計測する際に被験者がとるべき計測姿勢を示す図である。
【００５２】
図６に示すように、計測時において被験者２００は、携帯型心電計１００Ａのグリップ部１６０を右手２１０で把持しつつ、筐体１０１の左側面１０７に設けられた正電極１２０を胸部２５０の左側下部に位置する第５肋間前腋窩線上の皮膚に直接接触させる。そして、右手２１０の人差し指２１２にて筐体１０１の上面１０４に設けられた測定ボタン１４２を押下し、この状態を数十秒程度維持しつつ心電波形を計測する。
【００５３】
このときの携帯型心電計１００Ａの右手２１０による把持状態について説明する。図７は、本実施の形態における携帯型心電計の右手による把持状態を示す図である。ここで、図７（ａ）は、携帯型心電計を正面側から見た場合の図であり、図７（ｂ）は、背面側から見た場合の図である。
【００５４】
図７（ａ）に示すように、計測姿勢においては、被験者２００は、携帯型心電計１００Ａの正面１０２が上方を向くように、掌で筐体１０１の右側面１０６を覆いつつ筐体１０１のグリップ部１６０を右手２１０で把持する。このとき、筐体１０１の正面１０２の一方端寄りに設けられた負電極１１０に右手２１０の親指２１１が接触するように親指２１１を軽く曲げて筐体１０１に添える。また、人差し指２１２は、筐体１０１の上面に沿うように軽く曲げて筐体１０１に添える。さらに、図７（ｂ）に示すように、筐体１０１の背面１０３のグリップ部１６０を右手２１０の中指２１３、薬指２１４および小指２１５で握る。このとき、筐体１０１の背面１０３側に回した中指２１３、薬指２１４および小指２１５のうちの少なくとも１本の指が、筐体１０１の背面１０３に設けられた中性電極１３０に接触するようにする。
【００５５】
図８は、本実施の形態における携帯型心電計を用いて心電波形を計測する際に、被験者が衣服を装着していない場合にとるべき計測姿勢を上方から見た図である。
【００５６】
図８に示すように、本実施の形態における携帯型心電計１００Ａにあっては、計測時において、筐体１０１の右側面１０６が右手２１０の掌で覆われるように筐体１０１を把持する。このため、右手２１０の手首が胸部２５０から所定の距離だけ必ず離れることになり、これに伴って右腕（前腕２２０および上腕２３０）が胸部２５０に接触しないようになる。この結果、負電極１１０および中性電極１３０を把持した右手２１０から、胸部２５０に非接触の前腕２２０、同じく胸部２５０に非接触の上腕２３０および右肩２４０を経由して、正電極が押圧された胸部２５０の順で測定回路が構成されるようになる。このため、測定回路が心臓を横切る計測姿勢が確実に実現されるようになり、右手２１０、前腕２２０および上腕２３０と胸部２５０との接触による測定回路の短絡が防止されるようになる。
【００５７】
図９は、本実施の形態における携帯型心電計を用いて心電波形を計測する際に、被験者が衣服を装着している場合にとるべき計測姿勢を上方から見た図である。
【００５８】
図９に示すように、被験者２００が右肘を覆うような衣服３００を装着している場合には、右肘を右脇腹に接触させて右手２１０を固定することが可能である。このように右肘を右脇腹に押し当てた計測姿勢をとることにより、数十秒間、図９に示す計測姿勢を右手２１０を動かすことなく維持することが可能になる。この結果、安定的に精度よく心電波形を計測することが可能になる。
【００５９】
ここで、本実施の形態における携帯型心電計１００Ａにあっては、図２に示すように、装置本体を正面１０２側から見て、筐体１０１の左側面１０７に設けられた正電極１２０の身体との接触面１２１が、上端部分（正電極１２０の上面１０４側端部）から下端部分（正電極１２０の下面１０５側端部）に向かうにつれて、筐体１０１の長手方向（図中矢印Ａ方向）と直交しかつ接触面１２１よりも右側面１０６側に位置する任意の平面に対して距離が減ずる方向に、傾斜して設けられている。すなわち、正電極１２０の接触面１２１が筐体１０１の長手方向と直交することなく交差し、かつ、接触面１２１の上面１０４側部分が下面１０５側部分よりも左方向に突出した形状となっている。
【００６０】
このような形状とすることにより、図６ないし図９に示す計測姿勢をとった場合にも、無理なくこの計測姿勢を維持することが可能になる。すなわち、正電極１２０の身体との接触面１２１を上述のように傾斜させて設けることにより、図８および図９に示すように、右手２１０を矢印Ｂ方向に向かって伸ばす距離が短くて済むようになるため、無理のない計測姿勢が実現されるようになる。
【００６１】
また、本実施の形態における携帯型心電計１００Ａにあっては、図１から図５に示すように、筐体１０１の長手方向と直交する方向における筐体１０１のグリップ部１６０の外形が、筐体１０１の長手方向と直交する方向における筐体１０１のグリップ部１６０以外の部分の外径に比べて大きく形成されている。すなわち、筐体１０１の左側面１０７寄りの部分に比べ、右側面１０６寄りの部分がより大きな形状となるように筐体１０１が構成されている。
【００６２】
このように構成することにより、被験者がより安定的に携帯型心電形１００Ａのグリップ部１６０を把持することが可能になる。このため、安定的に精度よく心電波形を計測することが可能になる。
【００６３】
また、本実施の形態における携帯型心電形１００Ａにあっては、図２に示すように、筐体１０１の長手方向において、負電極１１０が筐体１０１の左側面１０７から距離Ｌ１だけ離間した位置に設けられている。ここで、距離Ｌ１は、６ｃｍ以上１２ｃｍ以下であり、より好ましくは７．２ｃｍ程度とする。なお、距離Ｌ１は、筐体１０１の左側面１０７が筐体１０１の長手方向と直交する面に対して傾斜して設けられている場合には、筐体１０１を正面１０２側から見て最も左よりの位置を基準として規定され、また、負電極１１０が筐体１０１の長手方向と直交する面に対して傾斜して設けられている場合には、最も左側面１０７側に位置する部分を基準として規定される。そして、表示部１５０が筐体１０１の他方端とグリップ部１６０との間に設けられている。
【００６４】
なお、図５に示すように、筐体１０１の背面１０３に設けられる中性電極１３０も、筐体１０１の長手方向において、筐体１０１の左側面１０７から距離Ｌ２だけ離間した位置に設けられている。ここで、距離Ｌ２は、距離Ｌ１とほぼ同様に好ましくは５ｃｍ以上１１ｃｍ以下であり、より好ましくは６．５ｃｍ程度とする。なお、距離Ｌ２は、筐体１０１の左側面１０７が筐体１０１の長手方向と直交する面に対して傾斜して設けられている場合には、筐体１０１を正面１０２側から見て最も左よりの位置を基準として規定され、また、中性電極１３０が筐体１０１の長手方向と直交する面に対して傾斜して設けられている場合には、最も左側面１０７側に位置する部分を基準として規定される。
【００６５】
このように、筐体１０１の長手方向において、負電極１１０の左側面１０７からの距離を６ｃｍ以上１２ｃｍ以下とすることにより、計測時において被験者の右手２１０や右手２１０の手首近傍が胸部２５０に接触することが回避されるようになる。これにより、測定回路が胸部２５０で短絡することがなくなるため、安定的に精度よく心電波形を計測することが可能になる。また、表示部１５０をグリップ部１６０よりも他方端寄りの正面１０２に設けることにより、計測中において被験者が表示部１５０を視認することが可能になるため、正常に携帯型心電計１００Ａが動作しているかどうか、あるいは得られる心電波形に異常がないかどうかを確認しながら心電波形を計測することが可能になる。
【００６６】
以上において説明したように、本実施の形態の如くの携帯型心電計１００Ａとすることにより、被験者に苦痛を与えない比較的楽な姿勢で心電波形を精度よく確実に計測することが可能になる。
【００６７】
なお、上記においては、第５肋間前腋窩線上の皮膚に携帯型心電計１００Ａの正電極１２０を接触させて心電波形を計測する場合の計測姿勢について説明したが、他の計測姿勢をとることも可能である。これは、通常は計測時において被験者に動悸や息切れ等が発生している場合が多いことに鑑み、より楽な姿勢で心電波形を計測することが可能となるように配慮されたものである。
【００６８】
他の計測姿勢としては、たとえば図１０に示すように、右手２１０にて携帯型心電計１００Ａのグリップ部１６０を把持し、正電極１２０を左手２６０の掌に押し当てる計測姿勢がある。また、図１１に示すように、右手２１０にて携帯型心電計１００Ａのグリップ部１６０を把持し、正電極１２０を左脚２７０の太腿の内側に押し当てる計測姿勢もある。
【００６９】
（実施の形態２）
図１２は、本発明の実施の形態２における携帯型心電計の正面図である。また、図１３は、図１２中のＸＩＩＩ−ＸＩＩＩ線における断面図である。なお、上述の実施の形態１と同様の部分については図中同一の符号を付し、その説明はここでは繰り返さない。
【００７０】
図１２に示すように、本実施の形態における携帯型心電計１００Ｂは、上述の実施の形態１における携帯型心電計１００Ａと筐体１０１の正面１０２側のグリップ部１６０の形状において異なる。
【００７１】
本実施の形態における携帯型心電計１００Ｂは、図１２に示すように、筐体１０１の正面１０２側のグリップ部１６０に凹部１０２ａを有している。この凹部１０２ａは、筐体１０１の長手方向（図中矢印Ａ方向）と交差する方向に延びており、その上端部分（上面１０４側端部）が下端部分（下面１０５側端部）よりも筐体１０１の左側面１０７側に位置するように延びている。凹部１０２ａ内の所定位置には、負電極１１０が設けられている。
【００７２】
図１３に示すように、凹部１０２ａ内に設けられた負電極１１０は、凹部１０２ａの湾曲面よりも外側に僅かに突出した形状を有しており、凹部１０２ａ内にて露出した状態となっている。この凹部１０２ａは、右手の親指を受入れる形状に形成されている。
【００７３】
本構成の携帯型心電計１００Ｂを用いた場合に被験者がとるべき計測姿勢は、上述の実施の形態１における計測姿勢とほぼ同様である。しかしながら、右手による携帯型心電計１００Ｂの把持状態は僅かに異なる。図１４は、本実施の形態における携帯型心電計の右手による把持状態を示す図である。
【００７４】
図１４に示すように、計測姿勢においては、被験者２００は、携帯型心電計１００Ｂの正面１０２が上方を向くように、掌で筐体１０１の右側面１０６を覆いつつ筐体１０１のグリップ部１６０を右手２１０で把持する。このとき、筐体１０１の正面１０２の一方端寄りに設けられた凹部１０２ａ内に右手の親指２１１を挿入し、凹部１０２ａ内に位置する負電極１１０に親指２１１が接触するように親指２１１を軽く曲げて筐体１０１に添える。また、人差し指２１２は、筐体１０１の上面に沿うように軽く曲げて筐体１０１に添える。さらに、筐体１０１の背面１０３のグリップ部１６０を右手２１０の中指２１３、薬指２１４および小指２１５で握る。このとき、筐体１０１の背面１０３側に回した中指２１３、薬指２１４および小指２１５のうちの少なくとも１本の指が、筐体１０１の背面１０３に設けられた中性電極１３０に接触するようにする。
【００７５】
このように、筐体１０１の正面１０２に筐体１０１の長手方向と交差するように凹部１０２ａを設け、この凹部１０２ａ内に負電極１１０を設けることにより、被験者が適切な把持状態で携帯型心電計１００Ｂ本体を右手で把持するように導くことができるようになる。このため、誤って左手でグリップ部１６０を把持するような誤操作が防止されるようになる。また、凹部１０２ａを設けることにより、右手２１０の親指２１１と負電極１１０との接触が安定するようになるため、測定波形に乱れが生じることも防止されるようになる。以上により、精度よく安定的に心電波形を計測することが可能になる。
【００７６】
（実施の形態３）
図１５は、本発明の実施の形態３における携帯型心電計の正面図である。また、図１６は、図１５に示す携帯型心電計の右側面図である。なお、上述の実施の形態１と同様の部分については図中同一の符号を付し、その説明はここでは繰り返さない。
【００７７】
図１５に示すように、本実施の形態における携帯型心電計１００Ｃは、上述の実施の形態１における携帯型心電計１００Ａと筐体１０１のグリップ部１６０の形状において異なる。
【００７８】
本実施の形態における携帯型心電計１００Ｃは、図１５および図１６に示すように、筐体１０１の長手方向の一方端に位置する右側面１０６に負電極１１０が設けられている。負電極１１０は、筐体１０１の右側面１０６の上端（上面１０４側端部）近傍から下端（背面１０５側端部）近傍までの大部分を覆うように形成されている。
【００７９】
本構成の携帯型心電計１００Ｃを用いた場合に被験者がとるべき計測姿勢は、上述の実施の形態１における計測姿勢とほぼ同様である。しかしながら、右手による携帯型心電計１００Ｃの把持状態は僅かに異なる。図１７は、本実施の形態における携帯型心電計の右手による把持状態を示す図である。
【００８０】
図１７に示すように、計測姿勢においては、被験者２００は、携帯型心電計１００Ｃの正面１０２が上方を向くように、掌で筐体１０１の右側面１０６を覆いつつ筐体１０１のグリップ部１６０を右手２１０で把持する。このとき、筐体１０１の右側面１０６に設けられた負電極１１０が右手２１０の掌と接触するようにする。そして筐体１０１の正面１０２の一方端寄りを右手２１０の親指２１１で把持し、筐体１０１の背面１０３のグリップ部１６０を右手２１０の中指２１３、薬指２１４および小指２１５で握る。このとき、筐体１０１の背面１０３側に回した中指２１３、薬指２１４および小指２１５のうちの少なくとも１本の指が、筐体１０１の背面１０３に設けられた中性電極１３０に接触するようにする。また、人差し指２１２は、筐体１０１の上面に沿うように軽く曲げて筐体１０１に添える。
【００８１】
このように、筐体１０１の右側面１０６に負電極１１０を設けることにより、被験者がグリップ部１６０を把持しさえすれば確実に負電極１１０が右手２１０に接触するようになる。このため、測定ミスが回避されるようになるとともに、精度よく安定的に心電波形を計測することができるようになる。
【００８２】
（実施の形態４）
図１８は、本発明の実施の形態４における携帯型心電計の外観構造を示す斜視図である。図１９は、図１８に示す携帯型心電計の正面図であり、図２０は、上面図である。また、図２１は、図１８に示す携帯型心電計の右側面図であり、図２２は、左側面図である。また、図２３は、図１８に示す携帯型心電計の背面図である。
【００８３】
まず、本実施の形態における携帯型心電計１００Ｄの構造について説明する。図１８ないし図２３に示すように、本実施の形態における携帯型心電計１００Ｄは、取扱い性に優れたものとなるように軽量小型化されており、片手で保持することが可能である。携帯型心電計１００Ｄは、扁平かつ細長の略直方体形状の筐体１０１を有しており、その外表面（正面１０２、背面１０３、上面１０４、下面１０５、右側面１０６、左側面１０７および湾曲面１０８）に、表示部や操作部、電極等が配置されている。
【００８４】
図１８および図１９に示すように、筐体１０１の長手方向（図中矢印Ａ方向）の一方端寄りには、把持領域であるグリップ部１６０が設けられている。このグリップ部１６０は、被験者が計測時において携帯型心電計１００Ａの本体を安定的に把持できるように設けられた部位であり、計測時においては、被験者の右手によって覆われる部位である。ここで、グリップ部１６０は、筐体１０１の長手方向の一方端に位置する第１端面である右側面１０６と、正面１０２、背面１０３、上面１０４および下面１０５のそれぞれの一方端寄り部分と、右側面１０６と上面とに連続する湾曲面１０８とを含んでいる。
【００８５】
筐体１０１の正面１０２側のグリップ部１６０には、測定を開始させるための操作ボタンである測定ボタン１４２が設けられている。測定ボタン１４２に隣接する筐体１０１の正面１０２には、計測時において右手の親指を置くレスト１４８が設けられている。
【００８６】
筐体１０１の長手方向の他方端寄りの正面１０２には、表示部１５０が位置している。表示部１５０は、たとえば液晶ディスプレイ等によって構成され、測定結果を表示する部位である。測定結果は、たとえば、図１８に示すように心電波形や数値データとして表示される。
【００８７】
正面１０２の表示部１５０の下方には、各種の操作ボタンが配置されている。図示する携帯型心電計１００Ｄにおいては、筐体１０１の正面１０２に、設定ボタン１４３、表示ボタン１４４、左スクロールボタン１４５および右スクロールボタン１４６が配置されている。
【００８８】
ここで、設定ボタン１４３は、携帯型心電計１００Ｄの各種設定を行なうための操作ボタンであり、表示ボタン１４４は、測定結果を表示部１５０に表示させるために用いる操作ボタンである。そして左スクロールボタン１４５および右スクロールボタン１４６は、表示部１５０に表示される測定結果のグラフやガイド情報等をスクロールして表示させるための操作ボタンである。
【００８９】
図１８および図２０に示すように、筐体１０１の上面１０４の所定位置には、電源ボタン１４１が配置されている。電源ボタン１４１は、携帯型心電計１００ＤのＯＮ／ＯＦＦを操作する操作ボタンである。
【００９０】
また、図１８、図２０および図２１に示すように、筐体１０１の湾曲面１０８には、凹部１０８ａが設けられている。この凹部１０８ａは、湾曲面１０８の延伸方向に沿って延びている。凹部１０８ａ内の所定位置には、負電極１１０が設けられている。負電極１１０は導電性部材にて形成されており、凹部１０８ａの湾曲面よりも外側に僅かに突出した形状を有しており、凹部１０８ａ内にて露出した状態となっている。この凹部１０８ａは、右手の人差し指を受入れる形状に形成されている。
【００９１】
図１８および図２２に示すように、筐体１０１の長手方向の他方端に位置する第２端面である左側面１０７には、第２の電極である正電極１２０が設けられている。この正電極１２０は導電性部材にて形成されており、筐体１０１の左側面１０７の中央部に設けられている。また、正電極１２０は、筐体１０１の左側面１０７から僅かに突出して設けられており、身体との接触面１２１は平面形状を有している。なお、筐体１０１の左側面１０７の正電極１２０の周囲には、微小な突起部１０７ａが複数設けられている。この微小な突起部１０７ａは、計測時に正電極１２０が身体の表面において位置ずれを起こさないように滑り止めとして機能する部位である。
【００９２】
図２３に示すように、筐体１０１の背面１０３側のグリップ部１６０には、不関電極である中性電極１３０が位置している。この中性電極１３０は導電性部材にて形成されており、筐体１０１の裏面において上下方向に向かって延びている。中性電極１３０は、筐体１０１の裏面において、長手方向と交差する方向に延びており、その上端部分（上面１０４側端部）が下端部分（下面１０５側端部）よりも右側面１０６側に位置するように傾斜して設けられている。中性電極１３０は、計測時において、身体に生じる電位変動を検知する電極であり、測定結果に含まれる誤差成分を除去するための補正値を得るための電極である。
【００９３】
次に、上述の構成の携帯型心電計１００Ｄを用いた場合に被験者がとるべき計測姿勢について説明する。図２４は、本発明の実施の形態４における携帯型心電計を用いて心電波形を計測する際に被験者がとるべき計測姿勢を示す図である。
【００９４】
図２４に示すように、計測時において被験者２００は、携帯型心電計１００Ｄのグリップ部１６０を右手２１０で把持しつつ、筐体１０１の左側面１０７に設けられた正電極１２０を胸部２５０の左側下部に位置する第５肋間前腋窩線上の皮膚に直接接触させる。そして、右手２１０の親指２１１にて筐体１０１の正面１０２に設けられた測定ボタン１４２を押下し、右手２１０の親指２１１をレスト１４８に置く。そして、この状態を数十秒程度維持しつつ心電波形を計測する。
【００９５】
このときの携帯型心電計１００Ｄの右手２１０による把持状態について説明する。図２５は、本実施の形態における携帯型心電計の右手による把持状態を示す図である。ここで、図２５（ａ）は、携帯型心電計を正面側から見た場合の図であり、図２５（ｂ）は、背面側から見た場合の図である。
【００９６】
図２５（ａ）に示すように、計測姿勢においては、被験者２００は、携帯型心電計１００Ｄの正面１０２が上方を向くように、掌で筐体１０１の右側面１０６を覆いつつ筐体１０１のグリップ部１６０を右手２１０で把持する。このとき、筐体１０１の正面１０２の一方端寄りに設けられたレスト１４８に右手２１０の親指２１１が接触するように親指２１１を軽く曲げて筐体１０１に添える。また、人差し指２１２は、筐体１０１の湾曲面１０８に沿うように軽く曲げ、湾曲面１０８に設けられた凹部１０８ａ内に挿入し、負電極１１０に接触した状態とする。さらに、図２５（ｂ）に示すように、筐体１０１の背面１０３のグリップ部１６０を右手２１０の中指２１３、薬指２１４および小指２１５で握る。このとき、筐体１０１の背面１０３側に回した中指２１３、薬指２１４および小指２１５のうちの少なくとも１本の指が、筐体１０１の背面１０３に設けられた中性電極１３０に接触するようにする。
【００９７】
このように、筐体１０１の湾曲面１０８に右手の人差し指を受入れる凹部１０８ａを設け、この凹部１０８ａ内に負電極１１０を設けることにより、被験者が適切な把持状態で携帯型心電計１００Ｄ本体を右手で把持するように導くことができるようになる。このため、誤って左手でグリップ部１６０を把持するような誤操作が防止されるようになる。また、凹部１０８ａを設けることにより、右手２１０の人差し指２１２と負電極１１０との接触が安定するようになるため、測定波形に乱れが生じることも防止されるようになる。以上により、精度よく安定的に心電波形を計測することが可能になる。
【００９８】
図２６は、本実施の形態における携帯型心電計を用いて心電波形を計測する際に、被験者が衣服を装着していない場合にとるべき計測姿勢を上方から見た図である。
【００９９】
図２６に示すように、本実施の形態における携帯型心電計１００Ｄにあっては、計測時において、筐体１０１の右側面１０６が右手２１０の掌で覆われるように筐体１０１を把持する。このため、右手２１０の手首が胸部２５０から所定の距離だけ必ず離れることになり、これに伴って右腕（前腕２２０および上腕２３０）が胸部２５０に接触しないようになる。この結果、負電極１１０および中性電極１３０を把持した右手２１０から、胸部２５０に非接触の前腕２２０、同じく胸部２５０に非接触の上腕２３０および右肩２４０を経由して、正電極が押圧された胸部２５０の順で測定回路が構成されるようになる。このため、測定回路が心臓を横切る計測姿勢が確実に実現されるようになり、右手２１０、前腕２２０および上腕２３０と胸部２５０との接触による測定回路の短絡が防止されるようになる。
【０１００】
図２７は、本実施の形態における携帯型心電計を用いて心電波形を計測する際に、被験者が衣服を装着している場合にとるべき計測姿勢を上方から見た図である。
【０１０１】
図２７に示すように、被験者２００が右肘を覆うような衣服３００を装着している場合には、右肘を右脇腹に接触させて右手２１０を固定することが可能である。このように右肘を右脇腹に押し当てた計測姿勢をとることにより、数十秒間、図２７に示す計測姿勢を右手２１０を動かすことなく維持することが可能になる。この結果、安定的に精度よく心電波形を計測することが可能になる。
【０１０２】
ここで、本実施の形態における携帯型心電計１００Ｄにあっては、図１９に示すように、グリップ部１６０が設けられた筐体１０１の長手方向の一方端が、筐体１０１の下面１０５側に向かって湾曲した形状となっている。このため図２４ないし図２７に示す計測姿勢をとった場合にも、上述の実施の形態１における携帯型心電計１００Ａに比べ、右手２１０を図中矢印Ｂ方向に伸ばす距離が短くて済むようになり、被験者にとってより楽な姿勢で心電波形を計測することができるようになる。このため、精度よく安定的に心電波形を計測することが可能になる。
【０１０３】
また、本実施の形態における携帯型心電計１００Ｄにおいても、図２０に示すように、筐体１０１の長手方向において、負電極１１０が筐体１０１の左側面１０７から距離Ｌ１だけ離間した位置に設けられている。ここで、距離Ｌ１は、８ｃｍ以上１１．５ｃｍ以下であり、より好ましくは９．５ｃｍ程度とする。なお、距離Ｌ１は、筐体１０１の左側面１０７が筐体１０１の長手方向と直交する面に対して傾斜して設けられている場合には、筐体１０１を正面１０２側から見て最も左よりの位置を基準として規定され、また、負電極１１０が筐体１０１の長手方向と直交する面に対して傾斜して設けられている場合には、最も左側面１０７側に位置する部分を基準として規定される。そして、表示部１５０が筐体１０１の他方端とグリップ部１６０との間に設けられている。
【０１０４】
なお、図２３に示すように、筐体１０１の背面１０３に設けられる中性電極１３０も、筐体１０１の長手方向において、筐体１０１の左側面１０７から距離Ｌ２だけ離間した位置に設けられている。ここで、距離Ｌ２は、距離Ｌ１とほぼ同様に好ましくは６．５ｃｍ以上９ｃｍ以下であり、より好ましくは８ｃｍ程度とする。なお、距離Ｌ２は、筐体１０１の左側面１０７が筐体１０１の長手方向と直交する面に対して傾斜して設けられている場合には、筐体１０１を正面１０２側から見て最も左よりの位置を基準として規定され、また、中性電極１３０が筐体１０１の長手方向と直交する面に対して傾斜して設けられている場合には、最も左側面１０７側に位置する部分を基準として規定される。
【０１０５】
このように、筐体１０１の長手方向において、負電極１１０の左側面１０７からの距離を８ｃｍ以上１１．５ｃｍ以下とすることにより、計測時において被験者の右手２１０や右手２１０の手首近傍が胸部２５０に接触することが回避されるようになる。これにより、測定回路が胸部２５０で短絡することがなくなるため、安定的に精度よく心電波形を計測することが可能になる。また、表示部１５０をグリップ部１６０よりも他方端寄りの正面１０２に設けることにより、計測中において被験者が表示部１５０を視認することが可能になるため、正常に携帯型心電計１００Ｄが動作しているかどうか、あるいは得られる心電波形に異常がないかどうかを確認しながら心電波形を計測することが可能になる。
【０１０６】
以上において説明したように、本実施の形態の如くの携帯型心電計１００Ｄとすることにより、被験者に苦痛を与えない楽な姿勢で心電波形を精度よく確実に計測することが可能になる。
【０１０７】
なお、本実施の形態の如くの携帯型心電計１００Ｄとした場合にも、上述の実施の形態１の携帯型心電計１００Ａと同様に、左手や左足を用いた計測姿勢にて心電波形を計測することが可能である。
【０１０８】
（実施の形態５）
図２８は、本発明の実施の形態５における携帯型心電計の正面図であり、図２９は、図２８に示す携帯型心電計の右側面図である。なお、上述の実施の形態４と同様の部分については図中同一の符号を付し、その説明はここでは繰り返さない。
【０１０９】
図２８に示すように、本実施の形態における携帯型心電計１００Ｅは、上述の実施の形態４における携帯型心電計１００Ｄに比べ、第２端面である左側面１０７の長手方向に対する傾斜角がより大きく構成されており、さらに湾曲面１０８の形状がより緩やかに大きく構成されている。
【０１１０】
具体的には、筐体１０１の左側面１０７は、筐体１０１の長手方向（図中矢印Ａ方向）に対して約６０度傾斜しており、その上端部分（上面１０４側端部）が下端部分（下面１０５側端部）よりも左側に大きく突出した形状となっている。また、湾曲面１０８は、筐体１０１の上面１０４と右側面１０６とに連続する面であり、その曲率半径は約４０ｃｍとなっている。
【０１１１】
なお、本実施の形態における携帯型心電計１００Ｅにおいても、上述の実施の形態４と同様に湾曲面１０８に凹部１０８ａが設けられており、この凹部１０８ａ内に負電極１１０が位置している。
【０１１２】
上記構成の携帯型心電計１００Ｅを用いた場合に被験者がとるべき計測姿勢について説明する。図３０は、本実施の形態における携帯型心電計を用いて心電波形を計測する場合に被験者がとるべき計測姿勢を示す図である。
【０１１３】
図３０に示すように、計測時において被験者２００は、携帯型心電計１００Ｅのグリップ部１６０を右手２１０で把持しつつ、筐体１０１の左側面１０７に設けられた正電極１２０を胸部２５０の左側下部に位置する第５肋間前腋窩線上の皮膚に直接接触させる。そして、右手２１０の親指２１１にて筐体１０１の正面１０２に設けられた測定ボタン１４２を押下し、この状態を数十秒程度維持しつつ心電波形を計測する。
【０１１４】
このときの携帯型心電計１００Ｅの右手２１０による把持状態について説明する。図３１は、本実施の形態における携帯型心電計の右手による把持状態を示す図である。
【０１１５】
図３１に示すように、計測姿勢においては、被験者２００は、携帯型心電計１００Ｅの正面１０２が上方を向くように、掌で筐体１０１の右側面１０６を覆いつつ筐体１０１のグリップ部１６０を右手２１０で把持する。このとき、筐体１０１の正面１０２の一方端寄り上部に右手２１０の親指２１１を添え、筐体１０１の背面１０３のグリップ部１６０を右手２１０の中指２１３、薬指２１４および小指２１５で握る。このとき、筐体１０１の背面１０３側に回した中指２１３、薬指２１４および小指２１５のうちの少なくとも１本の指が、筐体１０１の背面１０３に設けられた中性電極１３０に接触するようにする。また、人差し指２１２は、筐体１０１の湾曲面１０８に沿うように軽く曲げ、湾曲面１０８に設けられた凹部１０８ａ内に挿入し、負電極１１０に接触した状態とする。
【０１１６】
図３２は、本実施の形態における携帯型心電計を用いて心電波形を計測する際に、被験者が衣服を装着していない場合にとるべき計測姿勢を上方から見た図である。
【０１１７】
図３２に示すように、本実施の形態における携帯型心電計１００Ｅにあっては、計測時において、筐体１０１の右側面１０６が右手２１０の掌で覆われるように筐体１０１を把持する。このため、右手２１０の手首が胸部２５０から所定の距離だけ必ず離れることになり、これに伴って右腕（前腕２２０および上腕２３０）が胸部２５０に接触しないようになる。この結果、負電極１１０および中性電極１３０を把持した右手２１０から、胸部２５０に非接触の前腕２２０、同じく胸部２５０に非接触の上腕２３０および右肩２４０を経由して、正電極が押圧された胸部２５０の順で測定回路が構成されるようになる。このため、測定回路が心臓を横切る計測姿勢が確実に実現されるようになり、右手２１０、前腕２２０および上腕２３０と胸部２５０との接触による測定回路の短絡が防止されるようになる。
【０１１８】
図３３は、本実施の形態における携帯型心電計を用いて心電波形を計測する際に、被験者が衣服を装着している場合にとるべき計測姿勢を上方から見た図である。
【０１１９】
図３３に示すように、被験者２００が右肘を覆うような衣服３００を装着している場合には、右肘を右脇腹に接触させて右手２１０を固定することが可能である。このように右肘を右脇腹に押し当てた計測姿勢をとることにより、数十秒間、図３３に示す計測姿勢を右手２１０を動かすことなく維持することが可能になる。この結果、安定的に精度よく心電波形を計測することが可能になる。
【０１２０】
ここで、本実施の形態における携帯型心電計１００Ｅにあっては、図２８に示すように、左側面１０７の長手方向に対する傾斜角が大きく構成されており、さらに湾曲面１０８の形状がさらに緩やかに大きく構成されている。このため、図３２または図３３に示す計測姿勢をとった場合にも、上述の実施の形態４における携帯型心電計１００Ｄに比べ、右手２１０を図中矢印Ｂ方向に伸ばす距離がさらに短くて済むようになり、被験者にとって非常に楽な姿勢で心電波形を計測することができるようになる。このため、精度よく安定的に心電波形を計測することが可能になる。
【０１２１】
以上において説明したように、本実施の形態の如くの携帯型心電計１００Ｅとすることにより、被験者に苦痛を与えない非常に楽な姿勢で心電波形を精度よく確実に計測することが可能になる。
【０１２２】
（実施の形態６）
図３４は、本発明の実施の形態６における携帯型心電計の正面図である。
【０１２３】
まず、本実施の形態における携帯型心電計１００Ｆの構造について説明する。図３４に示すように、本実施の形態における携帯型心電計１００Ｆは、取扱い性に優れたものとなるように軽量小型化されており、片手で保持することが可能である。携帯型心電計１００Ｆは、扁平かつ細長の略直方体形状の筐体１０１を有しており、その外表面（正面１０２、背面１０３、上面１０４、下面１０５、右側面１０６および左側面１０７）に、表示部や操作部、電極等が配置されている。
【０１２４】
筐体１０１の長手方向（図中矢印Ａ方向）の一方端寄りには、把持領域であるグリップ部１６０が設けられている。このグリップ部１６０は、被験者が計測時において携帯型心電計１００Ｆの本体を安定的に把持できるように設けられた部位であり、計測時においては、被験者の右手によって覆われる部位である。ここで、グリップ部１６０は、筐体１０１の正面１０２、背面１０３、上面１０４および下面１０５のそれぞれの一方端寄り部分を含んでいる。
【０１２５】
筐体１０１の上面１０４側のグリップ部１６０には、第１の電極である負電極１１０が設けられている。負電極１１０は導電性部材にて形成されており、グリップ部１６０からさらに上方に向かって突出した形状となっている。一方、筐体１０１の下面１０５側のグリップ部１６０には、不関電極である中性電極１３０が設けられている。中性電極１３０は導電性部材にて形成されており、グリップ部１６０からさらに下方に向かって突出した形状となっている。
【０１２６】
筐体１０１の長手方向の他方端寄りの正面１０２には、表示部１５０が位置している。表示部１５０は、たとえば液晶ディスプレイ等によって構成され、測定結果を表示する部位である。筐体１０１の正面１０２のグリップ部１６０下部には各種の操作ボタンが配置された操作ボタン部１４０が位置している。
【０１２７】
筐体１０１の長手方向の他方端に位置する第２端面である左側面１０７には、第２の電極である正電極１２０が設けられている。この正電極１２０は導電性部材にて形成されており、筐体１０１の背面１０３から左側面１０７を経由して正面１０２にまで達している。正電極１２０の身体との接触面１２１は、携帯型心電計１００Ｆの他方端に位置しており、筐体１０１の長手方向と直交するように設けられている。
【０１２８】
正電極１２０とグリップ部１６０との間には、筐体１０１から外側に向けて突出して形成された鍔部１７０が位置している。この鍔部１７０は絶縁部材にて形成されており、計測時において、グリップ部１６０を把持した右手と正電極１２０が押し当てられた胸部とが接触することを回避するために設けられるものである。
【０１２９】
図３５は、本実施の形態における携帯型心電計の右手による把持状態を示す図である。
【０１３０】
図３５に示すように、計測姿勢においては、被験者２００は、携帯型心電計１００Ｆの正面１０２が上方を向くように筐体１０１の背面を掌で覆いつつ筐体１０１のグリップ部１６０を把持する。このとき、筐体１０１の上面１０４に設けられた負電極１１０に右手２１０の人差し指２１２、中指２１３、薬指２１４および小指２１５のいずれかまたは全部が接触するように、これらの指を軽く曲げて筐体１０１に添える。また、親指２１１は、筐体１０１の下面１０５に沿って伸ばし、下面１０５に設けられた中性電極１３０に接触させた状態とする。
【０１３１】
図３５に示す状態において、筐体１０１から外側に突出して設けられた鍔部１７０が、右手２１０と胸部２５０との接触を妨げる役目を果たす。すなわち、これらの間に鍔部１７０が位置していることにより、被験者が右手２１０と胸部２５０との接触に関して特段の注意を払わなくても、右手２１０と胸部２５０との物理的な接触を回避することができる。したがって、測定回路が胸部において短絡することが防止されるようになり、精度よく安定的に心電波形を計測することができるようになる。
【０１３２】
（実施の形態７）
図３６は、本発明の実施の形態７における携帯型心電計の正面図である。
【０１３３】
まず、本実施の形態における携帯型心電計１００Ｇの構造について説明する。図３４に示すように、本実施の形態における携帯型心電計１００Ｇは、取扱い性に優れたものとなるように軽量小型化されており、片手で保持することが可能である。携帯型心電計１００Ｆは、扁平かつ細長の略直方体形状の筐体１０１を有しており、その外表面（正面１０２、背面１０３、上面１０４、下面１０５、右側面１０６および左側面１０７）に、表示部や操作部、電極等が配置されている。
【０１３４】
筐体１０１の長手方向（図中矢印Ａ方向）の一方端寄りには、把持領域であるグリップ部１６０が設けられている。このグリップ部１６０は、被験者が計測時において携帯型心電計１００Ｆの本体を安定的に把持できるように設けられた部位であり、計測時においては、被験者の右手によって覆われる部位である。ここで、グリップ部１６０は、筐体１０１の正面１０２、背面１０３、上面１０４および下面１０５のそれぞれの一方端寄り部分を含んでいる。
【０１３５】
筐体１０１の上面１０４側のグリップ部１６０には、第１の電極である負電極１１０が設けられている。負電極１１０は導電性部材にて形成されており、グリップ部１６０からさらに上方に向かって突出した形状となっている。一方、筐体１０１の下面１０５側のグリップ部１６０には、不関電極である中性電極１３０が設けられている。中性電極１３０は導電性部材にて形成されており、グリップ部１６０からさらに下方に向かって突出した形状となっている。
【０１３６】
筐体１０１の長手方向の他方端寄りの正面１０２には、表示部１５０が位置している。表示部１５０は、たとえば液晶ディスプレイ等によって構成され、測定結果を表示する部位である。筐体１０１の正面１０２のグリップ部１６０下部には各種の操作ボタンが配置された操作ボタン部１４０が位置している。
【０１３７】
筐体１０１の長手方向の他方端に位置する第２端面である左側面１０７には、第２の電極である正電極１２０が設けられている。この正電極１２０は導電性部材にて形成されており、筐体１０１の背面１０３から左側面１０７を経由して正面１０２にまで達している。正電極１２０の身体との接触面１２１は、携帯型心電計１００Ｆの他方端に位置しており、筐体１０１の長手方向と直交するように設けられている。
【０１３８】
本実施の形態における携帯型心電計１００Ｇにあっては、筐体１０１の長手方向と直交する方向における筐体１０１のグリップ部１６０の外形が、筐体１０１の長手方向と直交する方向における筐体１０１のグリップ部１６０以外の外形に比べて小さく形成されている。すなわち、正電極１２０とグリップ部１６０との間に段差部１８０が位置している。この段差部１８０は、計測時において、グリップ部１６０を把持した右手と正電極１２０が押し当てられた胸部とが接触することを回避するために設けられるものである。
【０１３９】
図３７は、本実施の形態における携帯型心電計の右手による把持状態を示す図である。
【０１４０】
図３７に示すように、計測姿勢においては、被験者２００は、携帯型心電計１００Ｇの正面１０２が上方を向くように筐体１０１の背面を掌で覆いつつ筐体１０１のグリップ部１６０を把持する。このとき、筐体１０１の上面１０４に設けられた負電極１１０に右手２１０の人差し指２１２、中指２１３、薬指２１４および小指２１５のいずれかまたは全部が接触するように、これらの指を軽く曲げて筐体１０１に添える。また、親指２１１は、筐体１０１の下面１０５に沿って伸ばし、下面１０５に設けられた中性電極１３０に接触させた状態とする。
【０１４１】
図３７に示す状態において、段差部１８０が右手２１０と胸部２５０との接触を妨げる役目を果たす。すなわち、被験者が右手２１０と胸部２５０との接触に関して特段の注意を払わなくても、右手２１０と胸部２５０との物理的な接触を段差部１８０によって回避することができる。したがって、測定回路が胸部において短絡することが防止されるようになり、精度よく安定的に心電波形を計測することができるようになる。
【０１４２】
上述の実施の形態１から７においては、いずれも正電極、負電極および中性電極の３つの電極を具備した携帯型心電計を例示して説明を行なったが、中性電極は必須の電極ではない。このため、少なくとも正電極および負電極からなる一対の測定電極を筐体の外表面に有している携帯型心電計であればどのようなものにも本発明を適用することが可能である。
【０１４３】
また、上述の実施の形態１から７においては、いずれも筐体の外表面に表示部を備えた携帯型心電計を例示して説明を行なったが、表示部が別体に設けられた携帯型心電計にも本発明は当然に適用可能である。表示部が別体に形成された携帯型心電計としては、計測した心電波形を無線または有線で外部表示装置に出力するものなどが考えられる。
【０１４４】
このように、今回開示した上記各実施の形態はすべての点で例示であって、制限的なものではない。本発明の技術的範囲は特許請求の範囲によって画定され、また特許請求の範囲の記載と均等の意味および範囲内でのすべての変更を含むものである。
【０１４５】
【発明の効果】
本発明により、被験者に苦痛を与えない楽な姿勢で心電波形を精度よく確実に計測することが可能な携帯型心電計を提供することが可能になる。
【図面の簡単な説明】
【図１】本発明の実施の形態１における携帯型心電計の外観構造を示す斜視図である。
【図２】本発明の実施の形態１における携帯型心電計の正面図である。
【図３】本発明の実施の形態１における携帯型心電計の上面図である。
【図４】本発明の実施の形態１における携帯型心電計の左側面図である。
【図５】本発明の実施の形態１における携帯型心電計の背面図である。
【図６】本発明の実施の形態１における携帯型心電計を用いて心電波形を計測する際に被験者がとるべき計測姿勢を示す図である。
【図７】本発明の実施の形態１における携帯型心電計を用いて心電波形を計測する際の右手による把持状態を示す図である。
【図８】本発明の実施の形態１における携帯型心電計を用いて心電波形を計測する際に、被験者が衣服を装着していない場合にとるべき計測姿勢を上方から見た図である。
【図９】本発明の実施の形態１における携帯型心電計を用いて心電波形を計測する際に、被験者が衣服を装着している場合にとるべき計測姿勢を上方から見た図である。
【図１０】本発明の実施の形態１における携帯型心電計を用いて心電波形を計測する際に被験者がとるべき他の計測姿勢を示す図である。
【図１１】本発明の実施の形態１における携帯型心電計を用いて心電波形を計測する際に被験者がとるべきさらに他の計測姿勢を示す図である。
【図１２】本発明の実施の形態２における携帯型心電計の正面図である。
【図１３】図１２中のＸＩＩＩ−ＸＩＩＩ線おける断面図である。
【図１４】本発明の実施の形態２における携帯型心電計を用いて心電波形を計測する際の右手による把持状態を示す図である。
【図１５】本発明の実施の形態３における携帯型心電計の正面図である。
【図１６】本発明の実施の形態３における携帯型心電計の右側面図である。
【図１７】本発明の実施の形態３における携帯型心電計を用いて心電波形を計測する際の右手による把持状態を示す図である。
【図１８】本発明の実施の形態４における携帯型心電計の外観構造を示す斜視図である。
【図１９】本発明の実施の形態４における携帯型心電計の正面図である。
【図２０】本発明の実施の形態４における携帯型心電計の上面図である。
【図２１】本発明の実施の形態４における携帯型心電計の右側面図である。
【図２２】本発明の実施の形態４における携帯型心電計の左側面図である。
【図２３】本発明の実施の形態４における携帯型心電計の背面図である。
【図２４】本発明の実施の形態４における携帯型心電計を用いて心電波形を計測する際に被験者がとるべき計測姿勢を示す図である。
【図２５】本発明の実施の形態４における携帯型心電計を用いて心電波形を計測する際の右手による把持状態を示す図である。
【図２６】本発明の実施の形態４における携帯型心電計を用いて心電波形を計測する際に、被験者が衣服を装着していない場合にとるべき計測姿勢を上方から見た図である。
【図２７】本発明の実施の形態４における携帯型心電計を用いて心電波形を計測する際に、被験者が衣服を装着している場合にとるべき計測姿勢を上方から見た図である。
【図２８】本発明の実施の形態５における携帯型心電計の正面図である。
【図２９】本発明の実施の形態５における携帯型心電計の右側面図である。
【図３０】本発明の実施の形態５における携帯型心電計を用いて心電波形を計測する際に被験者がとるべき計測姿勢を示す図である。
【図３１】本発明の実施の形態５における携帯型心電計を用いて心電波形を計測する際の右手による把持状態を示す図である。
【図３２】本発明の実施の形態５における携帯型心電計を用いて心電波形を計測する際に、被験者が衣服を装着していない場合にとるべき計測姿勢を上方から見た図である。
【図３３】本発明の実施の形態５における携帯型心電計を用いて心電波形を計測する際に、被験者が衣服を装着している場合にとるべき計測姿勢を上方から見た図である。
【図３４】本発明の実施の形態６における携帯型心電計の正面図である。
【図３５】本発明の実施の形態６における携帯型心電計を用いて心電波形を計測する際の右手による把持状態を示す図である。
【図３６】本発明の実施の形態７における携帯型心電計の正面図である。
【図３７】本発明の実施の形態７における携帯型心電計を用いて心電波形を計測する際の右手による把持状態を示す図である。
【図３８】従来の携帯型心電計の一例を示す斜視図である。
【図３９】従来の携帯型心電計の他の例を示す正面図、左側面図および開状態における左側面図である。
【図４０】従来の携帯型心電計のさらに他の例を示す正面図および右側面図である。
【図４１】従来の携帯型心電計のさらに他の例を示す正面図である。
【図４２】図４１に示す携帯型心電計を用いて心電波形を計測する際に被験者がとるべき計測姿勢を示す図である。
【図４３】図４１に示す携帯型心電計を用いて心電波形を計測する際の右手による把持状態を示す図である。
【符号の説明】
１００Ａ〜１００Ｇ  携帯型心電計、１０１  筐体、１０２  正面、１０２ａ凹部、１０３  背面、１０４  上面、１０５  下面、１０６  右側面（第１端面）、１０７  左側面（第２端面）、１０７ａ  突起、１０８  湾曲面、１０８ａ  凹部、１１０  負電極（第１の電極）、１１１  突起部、１２０  正電極（第２の電極）、１２１  接触面、１３０  中性電極、１４０  操作部、１４１  電源ボタン、１４２  測定ボタン、１４３  設定ボタン、１４４  表示ボタン、１４５  左スクロールボタン、１４６  右スクロールボタン、１４８  レスト、１５０  表示部、１６０  グリップ部、１７０  鍔部、１８０  段差部、２００被験者、２１０  右手、２１１  親指、２１２  人差し指、２１３  中指、２１４  薬指、２１５  小指、２２０  前腕、２３０  上腕、２４０  右肩、２５０  胸部、２６０  左手、２７０  左足、３００  衣服。
【図１】
2005040187.tif 000003
【図２】
2005040187.tif 000004
【図３】
2005040187.tif 000005
【図４】
2005040187.tif 000006
【図５】
2005040187.tif 000007
【図６】
2005040187.tif 000008
【図７】
2005040187.tif 000009
【図８】
2005040187.tif 000010
【図９】
2005040187.tif 000011
【図１０】
2005040187.tif 000012
【図１１】
2005040187.tif 000013
【図１２】
2005040187.tif 000014
【図１３】
2005040187.tif 000015
【図１４】
2005040187.tif 000016
【図１５】
2005040187.tif 000017
【図１６】
2005040187.tif 000018
【図１７】
2005040187.tif 000019
【図１８】
2005040187.tif 000020
【図１９】
2005040187.tif 000021
【図２０】
2005040187.tif 000022
【図２１】
2005040187.tif 000023
【図２２】
2005040187.tif 000024
【図２３】
2005040187.tif 000025
【図２４】
2005040187.tif 000026
【図２５】
2005040187.tif 000027
【図２６】
2005040187.tif 000028
【図２７】
2005040187.tif 000029
【図２８】
2005040187.tif 000030
【図２９】
2005040187.tif 000031
【図３０】
2005040187.tif 000032
【図３１】
2005040187.tif 000033
【図３２】
2005040187.tif 000034
【図３３】
2005040187.tif 000035
【図３４】
2005040187.tif 000036
【図３５】
2005040187.tif 000037
【図３６】
2005040187.tif 000038
【図３７】
2005040187.tif 000039
【図３８】
2005040187.tif 000040
【図３９】
2005040187.tif 000041
【図４０】
2005040187.tif 000042
【図４１】
2005040187.tif 000043
【図４２】
2005040187.tif 000044
【図４３】
2005040187.tif 000045